【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
ｏ一般式（Ｉ）の少なくとも１種の第１のモノマーＭ１、および一般式（ＩＩ）の少なくとも１種の第２のモノマーＭ２との共重合に起因する統計共重合体Ａ１：
【化１】
2017507228.tif 000001
式中、
−  Ｒ1は、−Ｈ、−ＣＨ3および−ＣＨ2−ＣＨ3によって形成された群から選択され；
−  ｘは２から１８の範囲の整数であり；
−  ｙは０または１に等しい整数であり；
−  Ｘ1およびＸ2は、同一または異なって、水素原子、テトラヒドロピラニル、メチルオキシメチル、ｔｅｒ−ブチル、ベンジル、トリメチルシリルおよびｔ−ブチルジメチルシリルによって形成された群から選択され；
あるいは、
−  Ｘ1およびＸ2は、酸素原子とともに、次式の架橋構造を形成し、
【化２】
2017507228.tif 000002
式中：
−  星（＊）は、酸素原子に対する結合を表わし、
−  Ｒ’2およびＲ’’2は、同一または異なって、水素およびＣ1−Ｃ11アルキル基によって形成された群から選択され；
あるいは、
−  Ｘ1およびＸ2は、酸素原子と次式のボロン酸エステルを形成し、
【化３】
2017507228.tif 000003
式中：
−  星（＊）は、酸素原子に対する結合を表わし、
−  Ｒ’’’2は、Ｃ6−Ｃ18アリール基、Ｃ7−Ｃ18アラルキル基、およびＣ2−Ｃ18アルキル基によって形成された群から選択され；
【化４】
2017507228.tif 000004
式中：
−  Ｒ2は、−Ｈ、−ＣＨ3および−ＣＨ2−ＣＨ3によって形成された群から選択され、
−  Ｒ3は、Ｃ6−Ｃ18アリール基、Ｒ'3によって置換されたＣ6−Ｃ18アリール基、−Ｃ（Ｏ）−Ｏ−Ｒ'3、−Ｏ−Ｒ'3、−Ｓ−Ｒ'3および−Ｃ（Ｏ）−Ｎ（Ｈ）−Ｒ'3（ここで、Ｒ'3はＣ1−Ｃ30アルキル基）によって形成された群から選択され；
および
ｏ少なくとも２つのボロン酸エステル官能基を含む化合物Ａ２、
とを少なくとも含む混合物に起因する組成物。
【請求項２】
請求項１による組成物であって、前記統計共重合体Ａ１は、少なくとも１種のモノマーＭ１、および異なるＲ3基を有する少なくとも２種のモノマーＭ２の共重合に起因する、組成物。
【請求項３】
請求項２による組成物であって、モノマーＭ２のうちの１つは一般式（ＩＩ−Ａ）を有している：
【化５】
2017507228.tif 000005
式中：
−  Ｒ2は、−Ｈ、−ＣＨ3および−ＣＨ2−ＣＨ3によって形成された群から選択され；
−  Ｒ’’3はＣ1−Ｃ14アルキル基であり、
および
別のモノマーＭ２は一般式（ＩＩ−Ｂ）を有している：
【化６】
2017507228.tif 000006
式中：
−  Ｒ2は、−Ｈ、−ＣＨ3および−ＣＨ2−ＣＨ3によって形成された群から選択され；
−  Ｒ’’’3はＣ15−Ｃ30アルキル基である、組成物。
【請求項４】
請求項１〜３のいずれか一項による組成物であって、前記統計共重合体Ａ１の側鎖が、８〜２０個の炭素原子による平均長さを有している、組成物。
【請求項５】
請求項１〜４のいずれか一項による組成物であって、前記統計共重合体Ａ１は、１〜３０％のモル百分率で、前記共重合体の中に式（Ｉ）のモノマーＭ１を有している、組成物。
【請求項６】
請求項１〜５のいずれか一項による組成物であって、前記統計共重合体Ａ１は、１００〜２０００の数平均重合度を有している、組成物。
【請求項７】
請求項１〜６のいずれか一項による組成物であって、前記統計共重合体Ａ１は、１．０５〜３．７５の多分散指数（ＰＤＩ）を有している、組成物。
【請求項８】
請求項１による組成物であって、化合物Ａ２は式（ＩＩＩ）の化合物である：
【化７】
2017507228.tif 000007
式中：
−  ｗ1およびｗ2は、同一または異なって、０と１の間で選択された整数であり；
−  Ｒ4、Ｒ5、Ｒ6およびＲ7は、同一または異なって、水素原子、および１〜２４個の炭素原子を有する炭化水素含有基から選択され；
−  Ｌは二価の連結基で、Ｃ6−Ｃ18アリール基、Ｃ6−Ｃ18アラルキル基およびＣ2−Ｃ24炭化水素含有鎖によって形成された群から選択される、組成物。
【請求項９】
請求項１による組成物であって、化合物Ａ２は、式（ＩＶ）の少なくとも１種のモノマーＭ３と、一般式（Ｖ）の少なくとも１種の第２のモノマーＭ４との共重合に統計共重合体である：
【化８】
2017507228.tif 000008
式中：
−  ｔは０または１に等しい整数であり；
−  ｕは０または１に等しい整数であり；
−  ＭとＲ8は同一または異なって、二価の連結基であり、Ｃ6−Ｃ18アリール基、Ｃ7−Ｃ24アラルキル基およびＣ2−Ｃ24アルキル基によって形成された群から選択され、
−  Ｘは、−Ｏ−Ｃ（Ｏ）−、−Ｃ（Ｏ）−Ｏ−、−Ｃ（Ｏ）−Ｎ（Ｈ）−、−Ｎ（Ｈ）−Ｃ（Ｏ）−、−Ｓ−、−Ｎ（Ｈ）−、−Ｎ（Ｒ’4）−、および−Ｏ−（ここでＲ’4は１〜１５個の炭素原子を含む炭化水素含有鎖）によって形成された群から選択された官能基であり；
−  Ｒ9は、−Ｈ、−ＣＨ3および−ＣＨ2−ＣＨ3によって形成された群から選択され；
−  Ｒ10とＲ11は、同一または異なって、水素原子、および１〜２４個の炭素原子を有する炭化水素含有基によって形成された群から選択され；
【化９】
2017507228.tif 000009
式中：
−  Ｒ12は、−Ｈ、−ＣＨ3および−ＣＨ2−ＣＨ3によって形成された群から選択され、
−  Ｒ13は、Ｃ6−Ｃ18アリール基、Ｒ’13によって置換されたＣ6−Ｃ18アリール基、−Ｃ（Ｏ）−Ｏ−Ｒ’13、−Ｏ−Ｒ’13、−Ｓ−Ｒ’13および−Ｃ（Ｏ）−Ｎ（Ｈ）−Ｒ’13基（ここで、Ｒ’13はＣ1−Ｃ25アルキル基である）によって形成された群から選択される、組成物。
【請求項１０】
請求項９による組成物であって、Ｒ10、Ｍ、Ｘ、および（Ｒ8）u（ここで、ｕは、一般式（ＩＶ）のモノマーのうちの、０または１に等しい）の連続によって形成された鎖は、８〜３８個の炭素原子の総数を有している、組成物。
【請求項１１】
請求項９〜１０のいずれか一項による組成物であって、前記共重合体Ａ２の側鎖は、８個以上の炭素原子の平均長さを有している、組成物。
【請求項１２】
請求項９〜１１のいずれか一項による組成物であって、前記共重合体Ａ２は、モル百分率０．２５〜２０％で、前記共重合体中に式（ＩＶ）のモノマーを有している、組成物。
【請求項１３】
請求項９〜１２のいずれか一項による組成物であって、前記共重合体Ａ２は、５０〜１５００の数平均重合度を有している、組成物。
【請求項１４】
請求項９〜１３のいずれか一項による組成物であって、前記共重合体Ａ２は、１．０４〜３．５４の多分散指数（ＰＤＩ）を有している、組成物。
【請求項１５】
請求項１〜１４のいずれか一項による組成物であって、前記共重合体Ａ１の量は、組成物の総重量に対して０．１〜５０重量％の範囲である、組成物。
【請求項１６】
請求項１〜１５のいずれか一項による組成物であって、前記化合物Ａ２の量は、組成物の総重量に対して０．１〜５０重量％の範囲である、組成物。
【請求項１７】
請求項１〜１６のいずれか一項による組成物であって、共重合体Ａ１と化合物Ａ２の重量による比率（比率Ａ１／Ａ２）が、０．００５〜２００である、組成物。
【請求項１８】
請求項１〜１７のいずれか一項による組成物であって、ポリマー、色素、染料、充填剤、可塑剤、ファイバ、酸化防止剤、潤滑剤用添加剤、相溶化剤、消泡剤、分散性の添加剤、接着促進剤および安定化剤によって形成された群から選択された少なくとも１つの添加剤をさらに含む、組成物。
【手続補正２】
【補正対象書類名】明細書
【補正対象項目名】０３８０
【補正方法】変更
【補正の内容】
【０３８０】
［６．３．  レオロジー特性の結果］
組成物ＦおよびＧのレオロジー特性の挙動が５０から１００℃までの温度範囲で調べられた。結果は図１０に示される。温度が上がる場合のテトラリンの粘度低下が、ポリ（スチレン−アルキルジオールメタクリレート）共重合体Ａ１−５およびポリ（スチレン−フェニルボロン酸エステルスチレン）共重合体Ａ２−３により抑制されることが観察される。
なお、本発明は、実施の態様として以下の内容を含む。
〔態様１〕
ｏ一般式（Ｉ）の少なくとも１種の第１のモノマーＭ１、および一般式（ＩＩ）の少なくとも１種の第２のモノマーＭ２との共重合に起因する統計共重合体Ａ１：
【化４６】
2017507228.tif 000010
式中、
−  Ｒ1は、−Ｈ、−ＣＨ3および−ＣＨ2−ＣＨ3によって形成された群から選択され；
−  ｘは２から１８の範囲の整数であり；
−  ｙは０または１に等しい整数であり；
−  Ｘ1およびＸ2は、同一または異なって、水素原子、テトラヒドロピラニル、メチルオキシメチル、ｔｅｒ−ブチル、ベンジル、トリメチルシリルおよびｔ−ブチルジメチルシリルによって形成された群から選択され；
あるいは、
−  Ｘ1およびＸ2は、酸素原子とともに、次式の架橋構造を形成し、
【化４７】
2017507228.tif 000011
式中：
−  星（＊）は、酸素原子に対する結合を表わし、
−  Ｒ’2およびＲ’’2は、同一または異なって、水素およびＣ1−Ｃ11アルキル基（好ましくはメチル）によって形成された群から選択され；
あるいは、
−  Ｘ1およびＸ2は、酸素原子と次式のボロン酸エステルを形成し、
【化４８】
2017507228.tif 000012
式中：
−  星（＊）は、酸素原子に対する結合を表わし、
−  Ｒ’’’2は、Ｃ6−Ｃ18アリール基、Ｃ7−Ｃ18アラルキル基、およびＣ2−Ｃ18アルキル基（好ましくはＣ6−Ｃ18アリール基）によって形成された群から選択され；
【化４９】
2017507228.tif 000013
式中：
−  Ｒ2は、−Ｈ、−ＣＨ3および−ＣＨ2−ＣＨ3によって形成された群から選択され、
−  Ｒ3は、Ｃ6−Ｃ18アリール基、Ｒ'3によって置換されたＣ6−Ｃ18アリール基、−Ｃ（Ｏ）−Ｏ−Ｒ'3、−Ｏ−Ｒ'3、−Ｓ−Ｒ'3および−Ｃ（Ｏ）−Ｎ（Ｈ）−Ｒ'3（ここで、Ｒ'3はＣ1−Ｃ30アルキル基）によって形成された群から選択され；
および
ｏ少なくとも２つのボロン酸エステル官能基を含む化合物Ａ２、
とを少なくとも含む混合物に起因する組成物。
〔態様２〕
態様１による組成物であって、前記統計共重合体Ａ１は、少なくとも１種のモノマーＭ１、および異なるＲ3基を有する少なくとも２種のモノマーＭ２の共重合に起因する、組成物。
〔態様３〕
態様２による組成物であって、モノマーＭ２のうちの１つは一般式（ＩＩ−Ａ）を有している：
【化５０】
2017507228.tif 000014
式中：
−  Ｒ2は、−Ｈ、−ＣＨ3および−ＣＨ2−ＣＨ3によって形成された群から選択され；
−  Ｒ’’3はＣ1−Ｃ14アルキル基であり、
および
別のモノマーＭ２は一般式（ＩＩ−Ｂ）を有している：
【化５１】
2017507228.tif 000015
式中：
−  Ｒ2は、−Ｈ、−ＣＨ3および−ＣＨ2−ＣＨ3によって形成された群から選択され；
−  Ｒ’’’3はＣ15−Ｃ30アルキル基である、組成物。
〔態様４〕
態様１〜３のいずれか一態様による組成物であって、前記統計共重合体Ａ１の側鎖が、８〜２０個の炭素原子（好ましくは９〜１５個の炭素原子）による平均長さを有している、組成物。
〔態様５〕
態様１〜４のいずれか一態様による組成物であって、前記統計共重合体Ａ１は、１〜３０％（好ましくは５〜２５％、より好ましくは９〜２１％）のモル百分率で、前記共重合体の中に式（Ｉ）のモノマーＭ１を有している、組成物。
〔態様６〕
態様１〜５のいずれか一態様による組成物であって、前記統計共重合体Ａ１は、１００〜２０００（好ましくは１５０〜１０００）の数平均重合度を有している、組成物。
〔態様７〕
態様１〜６のいずれか一態様による組成物であって、前記統計共重合体Ａ１は、１．０５〜３．７５（好ましくは１．１０〜３．４５）の多分散指数（ＰＤＩ）を有している、組成物。
〔態様８〕
態様１による組成物であって、化合物Ａ２は式（ＩＩＩ）の化合物である：
【化５２】
2017507228.tif 000016
式中：
−  ｗ1およびｗ2は、同一または異なって、０と１の間で選択された整数であり；
−  Ｒ4、Ｒ5、Ｒ6およびＲ7は、同一または異なって、水素原子、および１〜２４個の炭素原子（好ましくは４〜１８個の炭素原子、より好ましくは６〜１４個の炭素原子）を有する炭化水素含有基から選択され；
−  Ｌは二価の連結基で、Ｃ6−Ｃ18アリール基、Ｃ6−Ｃ18アラルキル基およびＣ2−Ｃ24炭化水素含有鎖によって形成された群から選択される、組成物。
〔態様９〕
態様１による組成物であって、化合物Ａ２は、式（ＩＶ）の少なくとも１種のモノマーＭ３と、一般式（Ｖ）の少なくとも１種の第２のモノマーＭ４との共重合に統計共重合体である：
【化５３】
2017507228.tif 000017
式中：
−  ｔは０または１に等しい整数であり；
−  ｕは０または１に等しい整数であり；
−  ＭとＲ8は同一または異なって、二価の連結基であり、Ｃ6−Ｃ18アリール基、Ｃ7−Ｃ24アラルキル基およびＣ2−Ｃ24アルキル基（好ましくはＣ6−Ｃ18アリール基）によって形成された群から選択され、
−  Ｘは、−Ｏ−Ｃ（Ｏ）−、−Ｃ（Ｏ）−Ｏ−、−Ｃ（Ｏ）−Ｎ（Ｈ）−、−Ｎ（Ｈ）−Ｃ（Ｏ）−、−Ｓ−、−Ｎ（Ｈ）−、−Ｎ（Ｒ’4）−、および−Ｏ−（ここでＲ’4は１〜１５個の炭素原子を含む炭化水素含有鎖）によって形成された群から選択された官能基であり；
−  Ｒ9は、−Ｈ、−ＣＨ3および−ＣＨ2−ＣＨ3によって形成された群から選択され；
−  Ｒ10とＲ11は、同一または異なって、水素原子、および１〜２４個の炭素原子（好ましくは４〜１８個の炭素原子、より好ましくは６〜１４個の炭素原子）を有する炭化水素含有基によって形成された群から選択され；
【化５４】
2017507228.tif 000018
式中：
−  Ｒ12は、−Ｈ、−ＣＨ3および−ＣＨ2−ＣＨ3によって形成された群から選択され、
−  Ｒ13は、Ｃ6−Ｃ18アリール基、Ｒ’13によって置換されたＣ6−Ｃ18アリール基、−Ｃ（Ｏ）−Ｏ−Ｒ’13、−Ｏ−Ｒ’13、−Ｓ−Ｒ’13および−Ｃ（Ｏ）−Ｎ（Ｈ）−Ｒ’13基（ここで、Ｒ’13はＣ1−Ｃ25アルキル基である）によって形成された群から選択される、組成物。
〔態様１０〕
態様９による組成物であって、Ｒ10、Ｍ、Ｘ、および（Ｒ8）u（ここで、ｕは、一般式（ＩＶ）のモノマーのうちの、０または１に等しい）の連続によって形成された鎖は、８〜３８（好ましくは１０〜２６）個の炭素原子の総数を有している、組成物。
〔態様１１〕
態様９〜１０のいずれか一態様による組成物であって、前記共重合体Ａ２の側鎖は、８個以上（好ましくは１１〜１６個）の炭素原子の平均長さを有している、組成物。
〔態様１２〕
態様９〜１１のいずれか一態様による組成物であって、前記共重合体Ａ２は、モル百分率０．２５〜２０％（好ましくは１〜１０％）で、前記共重合体中に式（ＩＶ）のモノマーを有している、組成物。
〔態様１３〕
態様９〜１２のいずれか一態様による組成物であって、前記共重合体Ａ２は、５０〜１５００（好ましくは８０〜８００）の数平均重合度を有している、組成物。
〔態様１４〕
態様９〜１３のいずれか一態様による組成物であって、前記共重合体Ａ２は、１．０４〜３．５４（好ましくは１．１０〜３．１０）の多分散指数（ＰＤＩ）を有している、組成物。
〔態様１５〕
態様１〜１４のいずれか一態様による組成物であって、前記共重合体Ａ１の量は、組成物の総重量に対して０．１〜５０重量％の範囲である、組成物。
〔態様１６〕
態様１〜１５のいずれか一態様による組成物であって、前記化合物Ａ２の量は、組成物の総重量に対して０．１〜５０重量％の範囲である、組成物。
〔態様１７〕
態様１〜１６のいずれか一態様による組成物であって、共重合体Ａ１と化合物Ａ２の重量による比率（比率Ａ１／Ａ２）が、０．００５〜２００（好ましくは０．０５〜２０、さらに好ましくは０．１〜１０）である、組成物。
〔態様１８〕
態様１〜１７のいずれか一態様による組成物であって、ポリマー、色素、染料、充填剤、可塑剤、ファイバ、酸化防止剤、潤滑剤用添加剤、相溶化剤、消泡剤、分散性の添加剤、接着促進剤および安定化剤によって形成された群から選択された少なくとも１つの添加剤をさらに含む、組成物。